【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
第１のユーザが、前記第１のユーザがメディアの消費における第２のユーザの進捗度に追い付いたとき、前記第１のユーザに通知するであろうアラートを設定することを可能にするための方法であって、
メディア消費アプリケーションの第１のユーザによって行われる、第２のユーザの識別子の第１の選択を受信するステップであって、前記メディア消費アプリケーションは、複数のメディアへのアクセスを提供する、ステップと、
前記第１のユーザによって行われる、メディアの識別子の第２の選択を受信するステップであって、前記識別子は、前記複数のメディアの第１のメディアに対応する、ステップと、
前記第１の選択および前記第２の選択の両方の受信に応答して、前記第１のユーザによる前記第１のメディアのアクセスを監視するステップと、
前記監視の間、前記第１のユーザが前記第１のメディアにアクセスしていることを検出するステップと、
前記第１のユーザが前記第１のメディアにアクセスしている間、前記第１のメディアに関する前記第１のユーザの第１の消費進捗度と前記第１のメディアに関する前記第２のユーザの第２の消費進捗度とを比較するステップと、
前記比較に基づいて、前記第１のユーザが前記第２のユーザの第２の消費進捗度に追い付いたことを判定するステップと、
前記第１のユーザが前記第２のユーザの第２の消費進捗度に追い付いたことの判定に応答して、表示のために、前記第１のユーザが前記第２のユーザに追い付いたことを示すアラートを生成するステップと
を含む、方法。
【請求項２】
前記第１のユーザによる前記第１のメディアのアクセスを監視するステップはさらに、
前記第１のメディアと関連付けられた一意のメディア識別子を前記第１のユーザと関連付けられた第１のデータ構造内に記憶するステップと、
前記第１のユーザが、前記メディア消費アプリケーションを使用して、前記複数のメディアの所与のメディアを消費していることのインジケーションを受信するステップと、
前記第１のデータ構造にクエリし、前記所与のメディアが前記一意のメディア識別子に対応するかどうかを判定するステップと
を含む、請求項１に記載の方法。
【請求項３】
前記第１のユーザの消費進捗度と前記第２のユーザの消費進捗度とを比較するステップはさらに、
前記第１の消費進捗度に関して前記第１のユーザと関連付けられた第１のデータ構造にクエリするステップと、
前記クエリに基づいて、前記第１の消費進捗度を前記第１のデータ構造から読み出すステップと、
前記第２の消費進捗度に関して前記第２のユーザと関連付けられた第２のデータ構造にクエリするステップと、
前記クエリに基づいて、前記第２の消費進捗度を前記第２のデータ構造から読み出すステップと、
前記第２の消費進捗度に対する前記第１の消費進捗度の関係を分析するステップと
を含む、請求項１に記載の方法。
【請求項４】
前記第１のユーザが前記第２のユーザの消費進捗度に追い付いたことを判定するステップはさらに、
前記比較に基づいて、比較結果を受信するステップと、
前記比較結果と閾値基準とを比較するステップであって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義する、ステップと、
前記比較結果が前記閾値基準を満たす場合、表示のために生成されるアラートをトリガするステップと
を含む、請求項１に記載の方法。
【請求項５】
表示のために、複数の選択可能閾値基準オプションを生成するステップと、
前記第１のユーザから、前記所与の閾値基準に対応する、前記複数の選択可能閾値基準オプションの所与の閾値基準オプションの第３の選択を受信するステップであって、前記比較結果と前記閾値基準とを比較するステップは、前記比較結果と前記所与の閾値基準とを比較するステップを含む、ステップと
をさらに含む、請求項４に記載の方法。
【請求項６】
前記アラートはさらに、
前記メディアを一時停止するためのオプションと、
通信を前記第２のユーザに伝送するためのオプションと、
前記アラートを無視するためのオプションと、
前記第２のユーザに関するソーシャルメディア情報と、
のうちの少なくとも１つを備える、
請求項１に記載の方法。
【請求項７】
前記表示されるアラートを生成するステップはさらに、
前記第１のユーザと関連付けられた第１のデータ構造にクエリし、前記第１のユーザがアクセスした第２のメディアを識別するステップと、
前記第２のユーザと関連付けられた第２のデータ構造にクエリし、前記第２のユーザがアクセスした第３のメディアを識別するステップと、
前記第２のメディアおよび前記第３のメディアのデータを比較し、それらが同一メディアであるかどうかを判定するステップと、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定するステップと、
前記アラート上の表示のために、前記第１のユーザが前記第２のメディアに関して前記第２のユーザに追い付いていないことのインジケーションを生成するステップと
を含む、請求項１に記載の方法。
【請求項８】
前記第１のユーザが前記第２のユーザの消費進捗度に追い付いたことの判定に応答して、前記ユーザからのさらなる入力を伴わずに、前記第１のメディアの再生を一時停止するステップであって、前記アラートは、前記第１のメディアの再生が一時停止されている間、表示のために生成される、ステップ
をさらに含む、請求項１に記載の方法。
【請求項９】
表示のために、前記表示されるアラートを生成するステップは、
前記第２のユーザと関連付けられた第２のデータ構造にクエリし、前記第２のユーザがアクセスした第２のメディアを識別するステップと、
前記第１のユーザが前記第２のメディアにアクセスしたかどうかを判定するステップと、
前記第１のユーザが前記第２のメディアにアクセスしていないことの判定に応答して、前記第２のメディアに関する前記第２のユーザのメディア消費進捗度を前記第２のデータ構造から読み出すステップと、
閾値基準が前記第２のユーザによる前記第２のメディアに関するメディア消費進捗度によって満たされるかどうかを判定するステップと、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成するステップであって、前記選択可能オプションは、前記第２のメディアの前記第２のユーザによるメディア消費進捗度のインジケータを伴う、ステップと
を含む、請求項１に記載の方法。
【請求項１０】
表示のために、前記表示されるアラートを生成するステップは、
表示のために、前記第１のメディアの消費を継続するためのオプションを生成するステップと、
前記第１のユーザから、前記オプションの第３の選択を受信するステップと、
前記第３の選択の受信に応答して、前記第２のユーザに、前記第１のユーザが前記第２のユーザに追い付き、メディア消費を継続していることを示す、アラートを伝送するステップと
を含む、請求項１に記載の方法。
【手続補正２】
【補正対象書類名】明細書
【補正対象項目名】００１０
【補正方法】変更
【補正の内容】
【００１０】
いくつかの実施形態では、制御回路が、第１のユーザが第２のユーザの消費進捗度に追い付いたことを判定したことに応答して、制御回路は、表示のために、第１のユーザが第２のユーザに追い付いたことを示すアラートを生成してもよい。例えば、制御回路が、第１のユーザがシリーズ「Ｓｅｉｎｆｅｌｄ」におけるその兄弟の消費進捗度に追い付いたことを判定したことに応答して、制御回路は、第１のユーザからさらなる入力を伴わずに、第１のユーザによって現在アクセスされているシリーズ「Ｓｅｉｎｆｅｌｄ」の再生を一時停止してもよく、制御回路は、「Ｓｅｉｎｆｅｌｄ」の再生が一時停止されている間、表示のために、アラートを生成してもよい。
本願明細書は、例えば、以下の項目も提供する。
（項目１）
第１のユーザが、前記第１のユーザがメディアの消費における第２のユーザの進捗度に追い付いたとき、前記第１のユーザに通知するであろうアラートを設定することを可能にするための方法であって、
メディア消費アプリケーションの第１のユーザによって行われる、第２のユーザの識別子の第１の選択を受信するステップであって、前記メディア消費アプリケーションは、複数のメディアへのアクセスを提供する、ステップと、
前記第１のユーザによって行われる、メディアの識別子の第２の選択を受信するステップであって、前記識別子は、前記複数のメディアの第１のメディアに対応する、ステップと、
前記第１の選択および前記第２の選択の両方の受信に応答して、前記第１のユーザによる前記第１のメディアのアクセスを監視するステップと、
前記監視の間、前記第１のユーザが前記第１のメディアにアクセスしていることを検出するステップと、
前記第１のユーザが前記第１のメディアにアクセスしている間、前記第１のメディアに関する前記第１のユーザの第１の消費進捗度と前記第１のメディアに関する前記第２のユーザの第２の消費進捗度とを比較するステップと、
前記比較に基づいて、前記第１のユーザが前記第２のユーザの第２の消費進捗度に追い付いたことを判定するステップと、
前記第１のユーザが前記第２のユーザの第２の消費進捗度に追い付いたことの判定に応答して、表示のために、前記第１のユーザが前記第２のユーザに追い付いたことを示すアラートを生成するステップと
を含む、方法。
（項目２）
前記第１のユーザによる前記第１のメディアのアクセスを監視するステップはさらに、
前記第１のメディアと関連付けられた一意のメディア識別子を前記第１のユーザと関連付けられた第１のデータ構造内に記憶するステップと、
前記第１のユーザが、前記メディア消費アプリケーションを使用して、前記複数のメディアの所与のメディアを消費していることのインジケーションを受信するステップと、
前記第１のデータ構造にクエリし、前記所与のメディアが前記一意のメディア識別子に対応するかどうかを判定するステップと
を含む、項目１に記載の方法。
（項目３）
前記第１のユーザの消費進捗度と前記第２のユーザの消費進捗度とを比較するステップはさらに、
前記第１の消費進捗度に関して前記第１のユーザと関連付けられた第１のデータ構造にクエリするステップと、
前記クエリに基づいて、前記第１の消費進捗度を前記第１のデータ構造から読み出すステップと、
前記第２の消費進捗度に関して前記第２のユーザと関連付けられた第２のデータ構造にクエリするステップと、
前記クエリに基づいて、前記第２の消費進捗度を前記第２のデータ構造から読み出すステップと、
前記第２の消費進捗度に対する前記第１の消費進捗度の関係を分析するステップと
を含む、項目１に記載の方法。
（項目４）
前記第１のユーザが前記第２のユーザの消費進捗度に追い付いたことを判定するステップはさらに、
前記比較に基づいて、比較結果を受信するステップと、
前記比較結果と閾値基準とを比較するステップであって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義する、ステップと、
前記比較結果が前記閾値基準を満たす場合、表示のために生成されるアラートをトリガするステップと
を含む、項目１に記載の方法。
（項目５）
表示のために、複数の選択可能閾値基準オプションを生成するステップと、
前記第１のユーザから、前記所与の閾値基準に対応する、前記複数の選択可能閾値基準オプションの所与の閾値基準オプションの第３の選択を受信するステップであって、前記比較結果と前記閾値基準とを比較するステップは、前記比較結果と前記所与の閾値基準とを比較するステップを含む、ステップと
をさらに含む、項目４に記載の方法。
（項目６）
前記アラートはさらに、
前記メディアを一時停止するためのオプションと、
通信を前記第２のユーザに伝送するためのオプションと、
前記アラートを無視するためのオプションと、
前記第２のユーザに関するソーシャルメディア情報と、
のうちの少なくとも１つを備える、
項目１に記載の方法。
（項目７）
前記表示されるアラートを生成するステップはさらに、
前記第１のユーザと関連付けられた第１のデータ構造にクエリし、前記第１のユーザがアクセスした第２のメディアを識別するステップと、
前記第２のユーザと関連付けられた第２のデータ構造にクエリし、前記第２のユーザがアクセスした第３のメディアを識別するステップと、
前記第２のメディアおよび前記第３のメディアのデータを比較し、それらが同一メディアであるかどうかを判定するステップと、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定するステップと、
前記アラート上の表示のために、前記第１のユーザが前記第２のメディアに関して前記第２のユーザに追い付いていないことのインジケーションを生成するステップと
を含む、項目１に記載の方法。
（項目８）
前記第１のユーザが前記第２のユーザの消費進捗度に追い付いたことの判定に応答して、前記ユーザからのさらなる入力を伴わずに、前記第１のメディアの再生を一時停止するステップであって、前記アラートは、前記第１のメディアの再生が一時停止されている間、表示のために生成される、ステップ
をさらに含む、項目１に記載の方法。
（項目９）
表示のために、前記表示されるアラートを生成するステップは、
前記第２のユーザと関連付けられた第２のデータ構造にクエリし、前記第２のユーザがアクセスした第２のメディアを識別するステップと、
前記第１のユーザが前記第２のメディアにアクセスしたかどうかを判定するステップと、
前記第１のユーザが前記第２のメディアにアクセスしていないことの判定に応答して、前記第２のメディアに関する前記第２のユーザのメディア消費進捗度を前記第２のデータ構造から読み出すステップと、
閾値基準が前記第２のユーザによる前記第２のメディアに関するメディア消費進捗度によって満たされるかどうかを判定するステップと、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成するステップであって、前記選択可能オプションは、前記第２のメディアの前記第２のユーザによるメディア消費進捗度のインジケータを伴う、ステップと
を含む、項目１に記載の方法。
（項目１０）
表示のために、前記表示されるアラートを生成するステップは、
表示のために、前記第１のメディアの消費を継続するためのオプションを生成するステップと、
前記第１のユーザから、前記オプションの第３の選択を受信するステップと、
前記第３の選択の受信に応答して、前記第２のユーザに、前記第１のユーザが前記第２のユーザに追い付き、メディア消費を継続していることを示す、アラートを伝送するステップと
を含む、項目１に記載の方法。
（項目１１）
第１のユーザが、前記第１のユーザがメディアの消費における第２のユーザの進捗度に追い付いたとき、前記第１のユーザに通知するであろうアラートを設定することを可能にするためのシステムであって、
ディスプレイ回路と、
ユーザ入力回路と、
制御回路であって、
前記ユーザ入力回路を使用して、メディア消費アプリケーションの第１のユーザによって行われる、第２のユーザの識別子の第１の選択を受信することであって、前記メディア消費アプリケーションは、複数のメディアへのアクセスを提供する、ことと、
前記第１のユーザによって行われる、メディアの識別子の第２の選択を受信することであって、前記識別子は、前記複数のメディアの第１のメディアに対応する、ことと、
前記第１の選択および前記第２の選択の両方の受信に応答して、前記第１のユーザによる前記第１のメディアのアクセスを監視することと、
前記監視の間、前記第１のユーザが前記第１のメディアにアクセスしていることを検出することと、
前記第１のユーザが前記第１のメディアにアクセスしている間、前記第１のメディアに関する前記第１のユーザの第１の消費進捗度と前記第１のメディアに関する前記第２のユーザの第２の消費進捗度とを比較することと、
前記比較に基づいて、前記第１のユーザが前記第２のユーザの第２の消費進捗度に追い付いたことを判定することと、
前記第１のユーザが前記第２のユーザの第２の消費進捗度に追い付いたことの判定に応答して、表示のために、ディスプレイ回路を使用して、前記第１のユーザが前記第２のユーザに追い付いたことを示すアラートを生成することと、
を行うように構成される、制御回路と
を備える、システム。
（項目１２）
前記制御回路はさらに、前記第１のユーザによる前記第１のメディアのアクセスを監視するときさらに、
前記第１のメディアと関連付けられた一意のメディア識別子を前記第１のユーザと関連付けられた第１のデータ構造内に記憶することと、
前記第１のユーザが、前記メディア消費アプリケーションを使用して、前記複数のメディアの所与のメディアを消費していることのインジケーションを受信することと、
前記第１のデータ構造にクエリし、前記所与のメディアが前記一意のメディア識別子に対応するかどうかを判定することと
を行うように構成される、項目１１に記載のシステム。
（項目１３）
前記制御回路はさらに、前記第１のユーザの消費進捗度と前記第２のユーザの消費進捗度とを比較するとき、
前記第１の消費進捗度に関して前記第１のユーザと関連付けられた第１のデータ構造にクエリすることと、
前記クエリに基づいて、前記第１の消費進捗度を前記第１のデータ構造から読み出すことと、
前記第２の消費進捗度に関して前記第２のユーザと関連付けられた第２のデータ構造にクエリすることと、
前記クエリに基づいて、前記第２の消費進捗度を前記第２のデータ構造から読み出すことと、
前記第２の消費進捗度に対する前記第１の消費進捗度の関係を分析することと
を行うように構成される、項目１１に記載のシステム。
（項目１４）
前記制御回路はさらに、前記第１のユーザが前記第２のユーザの消費進捗度に追い付いたことを判定するとき、
前記比較に基づいて、比較結果を受信することと、
前記比較結果と閾値基準とを比較することであって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義することと、
前記比較結果が前記閾値基準を満たす場合、ディスプレイ回路によって、前記表示のために生成されるアラートをトリガすることと
を行うように構成される、項目１１に記載のシステム。
（項目１５）
前記制御回路はさらに、
表示のために、グラフィック回路を使用して、複数の選択可能閾値基準オプションを生成することと、
前記第１のユーザから、前記所与の閾値基準に対応する、前記複数の選択可能閾値基準オプションの所与の閾値基準オプションの第３の選択を受信することであって、前記比較結果と前記閾値基準とを比較することは、前記比較結果と前記所与の閾値基準とを比較することを含む、ことと
を行うように構成される、項目１４に記載のシステム。
（項目１６）
前記制御回路はさらに、表示のために、前記アラートを生成するとき、表示のために、
前記メディアを一時停止するためのオプションと、
通信を前記第２のユーザに伝送するためのオプションと、
前記アラートを無視するためのオプションと、
前記第２のユーザに関するソーシャルメディア情報と
を生成するように構成される、項目１１に記載のシステム。
（項目１７）
前記制御回路はさらに、表示のために、前記アラートを生成するとき、
前記第１のユーザと関連付けられた第１のデータ構造にクエリし、前記第１のユーザがアクセスした第２のメディアを識別することと、
前記第２のユーザと関連付けられた第２のデータ構造にクエリし、前記第２のユーザがアクセスした第３のメディアを識別することと、
前記第２のメディアおよび前記第３のメディアのデータを比較し、それらが同一メディアであるかどうかを判定することと、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定することと、
前記アラート上の表示のために、前記第１のユーザが前記第２のメディアに関して前記第２のユーザに追い付いていないことのインジケーションを生成することと
を行うように構成される、項目１１に記載のシステム。
（項目１８）
前記制御回路はさらに、前記第１のユーザが前記第２のユーザの消費進捗度に追い付いたことの判定に応答して、前記ユーザからのさらなる入力を伴わずに、前記第１のメディアの再生を一時停止することであって、前記アラートは、前記第１のメディアの再生が一時停止されている間、表示のために生成される、ことと
を行うように構成される、項目１１に記載のシステム。
（項目１９）
前記制御回路はさらに、表示のために、前記表示されるアラートを生成するとき、
前記第２のユーザと関連付けられた第２のデータ構造にクエリし、前記第２のユーザがアクセスした第２のメディアを識別することと、
前記第１のユーザが前記第２のメディアにアクセスしたかどうかを判定することと、
前記第１のユーザが前記第２のメディアにアクセスしていないことの判定に応答して、前記第２のメディアに関する前記第２のユーザのメディア消費進捗度を前記第２のデータ構造から読み出すことと、
閾値基準が前記第２のユーザによる前記第２のメディアに関するメディア消費進捗度によって満たされるかどうかを判定することと、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成することであって、前記選択可能オプションは、前記第２のメディアの前記第２のユーザによるメディア消費進捗度のインジケータを伴う、ことと
を行うように構成される、項目１１に記載のシステム。
（項目２０）
前記制御回路はさらに、表示のために、前記アラートを生成するとき、
表示のために、前記第１のメディアの消費を継続するためのオプションを生成することと、
前記第１のユーザから、前記オプションの第３の選択を受信することと、
前記第３の選択の受信に応答して、前記第２のユーザに、前記第１のユーザが前記第２のユーザに追い付き、メディア消費を継続していることを示す、アラートを伝送することと
を行うように構成される、項目１１に記載のシステム。
（項目２１）
第１のユーザが、前記第１のユーザがメディアの消費における第２のユーザの進捗度に追い付いたとき、前記第１のユーザに通知するであろうアラートを設定することを可能にするためのシステムであって、
メディア消費アプリケーションの第１のユーザによって行われる、第２のユーザの識別子の第１の選択を受信するための手段であって、前記メディア消費アプリケーションは、複数のメディアへのアクセスを提供する、手段と、
前記第１のユーザによって行われる、メディアの識別子の第２の選択を受信するための手段であって、前記識別子は、前記複数のメディアの第１のメディアに対応する、手段と、
前記第１の選択および前記第２の選択の両方の受信に応答して、前記第１のユーザによる前記第１のメディアのアクセスを監視するための手段と、
前記監視の間、前記第１のユーザが前記第１のメディアにアクセスしていることを検出するための手段と、
前記第１のユーザが前記第１のメディアにアクセスしている間、前記第１のメディアに関する前記第１のユーザの第１の消費進捗度と前記第１のメディアに関する前記第２のユーザの第２の消費進捗度とを比較するための手段と、
前記比較に基づいて、前記第１のユーザが前記第２のユーザの第２の消費進捗度に追い付いたことを判定するための手段と、
前記第１のユーザが前記第２のユーザの第２の消費進捗度に追い付いたことの判定に応答して、表示のために、前記第１のユーザが前記第２のユーザに追い付いたことを示すアラートを生成するための手段と
を備える、システム。
（項目２２）
前記第１のユーザによる前記第１のメディアのアクセスを監視するための手段は、
前記第１のメディアと関連付けられた一意のメディア識別子を前記第１のユーザと関連付けられた第１のデータ構造内に記憶するための手段と、
前記第１のユーザが、前記メディア消費アプリケーションを使用して、前記複数のメディアの所与のメディアを消費していることのインジケーションを受信するための手段と、
前記第１のデータ構造にクエリし、前記所与のメディアが前記一意のメディア識別子に対応するかどうかを判定するための手段と
を備える、項目２１に記載のシステム。
（項目２３）
前記第１のユーザの消費進捗度と前記第２のユーザの消費進捗度とを比較するための手段は、
前記第１の消費進捗度に関して前記第１のユーザと関連付けられた第１のデータ構造にクエリするための手段と、
前記クエリに基づいて、前記第１の消費進捗度を前記第１のデータ構造から読み出すための手段と、
前記第２の消費進捗度に関して前記第２のユーザと関連付けられた第２のデータ構造にクエリするための手段と、
前記クエリに基づいて、前記第２の消費進捗度を前記第２のデータ構造から読み出すための手段と、
前記第２の消費進捗度に対する前記第１の消費進捗度の関係を分析するための手段と
を含む、項目２１に記載のシステム。
（項目２４）
前記第１のユーザが前記第２のユーザの消費進捗度に追い付いたことを判定するための手段はさらに、
前記比較に基づいて、比較結果を受信するための手段と、
前記比較結果と閾値基準とを比較するための手段であって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義する、手段と、
前記比較結果が前記閾値基準を満たす場合、表示のために生成されるアラートをトリガするための手段と
を備える、項目２１に記載のシステム。
（項目２５）
表示のために、複数の選択可能閾値基準オプションを生成するための手段と、
前記第１のユーザから、前記所与の閾値基準に対応する、前記複数の選択可能閾値基準オプションの所与の閾値基準オプションの第３の選択を受信するための手段であって、前記比較結果と前記閾値基準とを比較するための手段は、前記比較結果と前記所与の閾値基準とを比較する手段を含む、手段と
をさらに備える、項目２４に記載のシステム。
（項目２６）
前記表示のために、前記アラートを生成するための手段は、
前記メディアを一時停止するためのオプションを生成するための手段と、
通信を前記第２のユーザに伝送するためのオプションを生成するための手段と、
前記アラートを無視するためのオプションを生成するための手段と、
前記第２のユーザに関するソーシャルメディア情報を生成するための手段と
のうちの少なくとも１つを備える、項目２１に記載のシステム。
（項目２７）
前記表示のために、前記アラートを生成するための手段は、
前記第１のユーザと関連付けられた第１のデータ構造にクエリし、前記第１のユーザがアクセスした第２のメディアを識別するための手段と、
前記第２のユーザと関連付けられた第２のデータ構造にクエリし、前記第２のユーザがアクセスした第３のメディアを識別するための手段と、
前記第２のメディアおよび前記第３のメディアのデータを比較し、それらが同一メディアであるかどうかを判定するための手段と、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定するための手段と、
前記アラート上の表示のために、前記第１のユーザが前記第２のメディアに関して前記第２のユーザに追い付いていないことのインジケーションを生成するための手段と
を備える、項目２１に記載のシステム。
（項目２８）
前記第１のユーザが前記第２のユーザの消費進捗度に追い付いたことの判定に応答して、前記ユーザからのさらなる入力を伴わずに、前記第１のメディアの再生を一時停止するための手段であって、前記アラートは、前記第１のメディアの再生が一時停止されている間、表示のために生成される、手段
をさらに備える、項目２１に記載のシステム。
（項目２９）
前記表示のために、前記アラートを生成するための手段は、
前記第２のユーザと関連付けられた第２のデータ構造にクエリし、前記第２のユーザがアクセスした第２のメディアを識別するための手段と、
前記第１のユーザが前記第２のメディアにアクセスしたかどうかを判定するための手段と、
前記第１のユーザが前記第２のメディアにアクセスしていないことの判定に応答して、前記第２のメディアに関する前記第２のユーザのメディア消費進捗度を前記第２のデータ構造から読み出すための手段と、
閾値基準が前記第２のユーザによる前記第２のメディアに関するメディア消費進捗度によって満たされるかどうかを判定するための手段と、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成するための手段であって、前記選択可能オプションは、前記第２のメディアの前記第２のユーザによるメディア消費進捗度のインジケータを伴う、手段と
を備える、項目２１に記載のシステム。
（項目３０）
前記表示のために、前記アラートを生成するための手段は、
表示のために、前記第１のメディアの消費を継続するためのオプションを生成するための手段と、
前記第１のユーザから、前記オプションの第３の選択を受信するための手段と、
前記第３の選択の受信に応答して、前記第２のユーザに、前記第１のユーザが前記第２のユーザに追い付き、メディア消費を継続していることを示す、アラートを伝送するための手段と
を備える、項目２１に記載のシステム。
（項目３１）
第１のユーザが、前記第１のユーザがメディアの消費における第２のユーザの進捗度に追い付いたとき、前記第１のユーザに通知するであろうアラートを設定することを可能にするためのその上に符号化された命令を伴うメモリを備える、非一過性機械可読媒体であって、前記命令は、
メディア消費アプリケーションの第１のユーザによって行われる、第２のユーザの識別子の第１の選択を受信するための命令であって、前記メディア消費アプリケーションは、複数のメディアへのアクセスを提供する、命令と、
前記第１のユーザによって行われる、メディアの識別子の第２の選択を受信するための命令であって、前記識別子は、前記複数のメディアの第１のメディアに対応する、命令と、
前記第１の選択および前記第２の選択の両方の受信に応答して、前記第１のユーザによる前記第１のメディアのアクセスを監視するための命令と、
前記監視の間、前記第１のユーザが前記第１のメディアにアクセスしていることを検出するための命令と、
前記第１のユーザが前記第１のメディアにアクセスしている間、前記第１のメディアに関する前記第１のユーザの第１の消費進捗度と前記第１のメディアに関する前記第２のユーザの第２の消費進捗度とを比較するための命令と、
前記比較に基づいて、前記第１のユーザが前記第２のユーザの第２の消費進捗度に追い付いたことを判定するための命令と、
前記第１のユーザが前記第２のユーザの第２の消費進捗度に追い付いたことの判定に応答して、表示のために、前記第１のユーザが前記第２のユーザに追い付いたことを示すアラートを生成するための命令と
を備える、非一過性機械可読媒体。
（項目３２）
前記第１のユーザによる前記第１のメディアのアクセスを監視するための命令は、
前記第１のメディアと関連付けられた一意のメディア識別子を前記第１のユーザと関連付けられた第１のデータ構造内に記憶するための命令と、
前記第１のユーザが、前記メディア消費アプリケーションを使用して、前記複数のメディアの所与のメディアを消費していることのインジケーションを受信するための命令と、
前記第１のデータ構造にクエリし、前記所与のメディアが前記一意のメディア識別子に対応するかどうかを判定するための命令と
を備える、項目３１に記載の非一過性機械可読媒体。
（項目３３）
前記第１のユーザの消費進捗度と前記第２のユーザの消費進捗度とを比較するための命令は、
前記第１の消費進捗度に関して前記第１のユーザと関連付けられた第１のデータ構造にクエリするための命令と、
前記クエリに基づいて、前記第１の消費進捗度を前記第１のデータ構造から読み出すための命令と、
前記第２の消費進捗度に関して前記第２のユーザと関連付けられた第２のデータ構造にクエリするための命令と、
前記クエリに基づいて、前記第２の消費進捗度を前記第２のデータ構造から読み出すための命令と、
前記第２の消費に対する前記第１の消費進捗度の関係を分析するための命令と
を含む、項目３１に記載の非一過性機械可読媒体。
（項目３４）
前記第１のユーザが前記第２のユーザの消費進捗度に追い付いたことを判定するための命令は、
前記比較に基づいて、比較結果を受信するための命令と、
前記比較結果と閾値基準とを比較するための命令であって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義する、命令と、
前記比較結果が前記閾値基準を満たす場合、前記表示のために生成されるアラートをトリガするための命令と
を含む、項目３１に記載の非一過性機械可読媒体。
（項目３５）
前記命令はさらに、
表示のために、複数の選択可能閾値基準オプションを生成するための命令と、
前記第１のユーザから、前記所与の閾値基準に対応する、前記複数の選択可能閾値基準オプションの所与の閾値基準オプションの第３の選択を受信するための命令であって、前記比較結果と前記閾値基準とを比較するための命令は、前記比較結果と前記所与の閾値基準とを比較するための命令を含む、命令と
を備える、項目３４に記載の非一過性機械可読媒体。
（項目３６）
前記表示のために、前記アラートを生成するための命令はさらに、
前記メディアを一時停止するためのオプションを生成するための命令と、
通信を前記第２のユーザに伝送するためのオプションを生成するための命令と、
前記アラートを無視するためのオプションを生成するための命令と、
前記第２のユーザに関するソーシャルメディア情報を生成するための命令と
のうちの少なくとも１つを備える、項目３１に記載の非一過性機械可読媒体。
（項目３７）
前記表示のために、前記アラートを生成するための命令は、
前記第１のユーザと関連付けられた第１のデータ構造にクエリし、前記第１のユーザがアクセスした第２のメディアを識別するための命令と、
前記第２のユーザと関連付けられた第２のデータ構造にクエリし、前記第２のユーザがアクセスした第３のメディアを識別するための命令と、
前記第２のメディアおよび前記第３のメディアのデータを比較し、それらが同一メディアであるかどうかを判定するための命令と、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定するための命令と、
前記アラート上の表示のために、前記第１のユーザが前記第２のメディアに関して前記第２のユーザに追い付いていないことのインジケーションを生成するための命令と
を備える、項目３１に記載の非一過性機械可読媒体。
（項目３８）
前記命令はさらに、
前記第１のユーザが前記第２のユーザの消費進捗度に追い付いたことの判定に応答して、前記ユーザからのさらなる入力を伴わずに、前記第１のメディアの再生を一時停止するための命令であって、前記アラートは、前記第１のメディアの再生が一時停止されている間、表示のために生成される、命令
を備える、項目３１に記載の非一過性機械可読媒体。
（項目３９）
前記表示のために、前記アラートを生成するための命令は、
前記第２のユーザと関連付けられた第２のデータ構造にクエリし、前記第２のユーザがアクセスした第２のメディアを識別するための命令と、
前記第１のユーザが前記第２のメディアにアクセスしたかどうかを判定するための命令と、
前記第１のユーザが前記第２のメディアにアクセスしていないことの判定に応答して、前記第２のメディアに関する前記第２のユーザのメディア消費進捗度を前記第２のデータ構造から読み出すための命令と、
閾値基準が前記第２のユーザによる前記第２のメディアに関するメディア消費進捗度によって満たされるかどうかを判定するための命令と、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成するための命令であって、前記選択可能オプションは、前記第２のメディアの前記第２のユーザによるメディア消費進捗度のインジケータを伴う、命令と
を備える、項目３１に記載の非一過性機械可読媒体。
（項目４０）
前記表示のために、前記アラートを生成するための命令は、
表示のために、前記第１のメディアの消費を継続するためのオプションを生成するための命令と、
前記第１のユーザから、前記オプションの第３の選択を受信するための命令と、
前記第３の選択の受信に応答して、前記第２のユーザに、前記第１のユーザが前記第２のユーザに追い付き、メディア消費を継続していることを示す、アラートを伝送するための命令と
を備える、項目３１に記載の非一過性機械可読媒体。
（項目４１）
方法であって、
第１のユーザによって行われる、第２のユーザの識別子の第１の選択を受信するステップと、
前記第１のユーザによって行われる、メディアの識別子の第２の選択を受信するステップであって、前記識別子は、第１のメディアに対応する、ステップと、
前記第１の選択および前記第２の選択の両方の受信に応答して、前記第１のメディアに関する前記第１のユーザの第１の消費進捗度と前記第１のメディアに関する前記第２のユーザの第２の消費進捗度とを比較するステップと、
前記比較に基づいて、前記第１のユーザが前記第２のユーザの第２の消費進捗度に追い付いたことを判定するステップと、
前記第１のユーザが前記第２のユーザの第２の消費進捗度に追い付いたことの判定に応答して、表示のために、前記第１のユーザが前記第２のユーザに追い付いたことを示すアラートを生成するステップと
を含む、方法。
（項目４２）
前記第１のメディアと関連付けられた一意のメディア識別子を前記第１のユーザと関連付けられた第１のデータ構造内に記憶するステップと、
前記第１のユーザが、メディア消費アプリケーションを使用して、前記複数のメディアの所与のメディアを消費していることのインジケーションを受信するステップと、
前記第１のデータ構造にクエリし、前記所与のメディアが前記一意のメディア識別子に対応するかどうかを判定するステップと
をさらに含む、項目４１に記載の方法。
（項目４３）
前記第１の消費進捗度に関して前記第１のユーザと関連付けられた第１のデータ構造にクエリするステップと、
前記クエリに基づいて、前記第１の消費進捗度を前記第１のデータ構造から読み出すステップと、
前記第２の消費進捗度に関して前記第２のユーザと関連付けられた第２のデータ構造にクエリするステップと、
前記クエリに基づいて、前記第２の消費進捗度を前記第２のデータ構造から読み出すステップと、
前記第２の消費進捗度に対する前記第１の消費進捗度の関係を分析するステップと
をさらに含む、項目４１および４２のいずれかに記載の方法。
（項目４４）
前記比較に基づいて、比較結果を受信するステップと、
前記比較結果と閾値基準とを比較するステップであって、前記閾値基準は、前記第１のユーザの消費進捗度が前記第２のユーザの消費進捗度に追い付いているものと見なす、前記第２のユーザの相対的消費進捗度に対する前記第１のユーザの相対的消費進捗度の範囲を定義する、ステップと、
前記比較結果が前記閾値基準を満たす場合、表示のために生成されるアラートをトリガするステップと
をさらに含む、項目４１−４３のいずれかに記載の方法。
（項目４５）
表示のために、複数の選択可能閾値基準オプションを生成するステップと、
前記第１のユーザから、前記所与の閾値基準に対応する、前記複数の選択可能閾値基準オプションの所与の閾値基準オプションの第３の選択を受信するステップであって、前記比較結果と前記閾値基準とを比較するステップは、前記比較結果と前記所与の閾値基準とを比較するステップを含む、ステップと
をさらに含む、項目４４に記載の方法。
（項目４６）
前記アラートはさらに、
前記メディアを一時停止するためのオプションと、
通信を前記第２のユーザに伝送するためのオプションと、
前記アラートを無視するためのオプションと、
前記第２のユーザに関するソーシャルメディア情報と
のうちの少なくとも１つを備える、項目４１−４５のいずれかに記載の方法。
（項目４７）
前記表示されるアラートを生成するステップはさらに、
前記第１のユーザと関連付けられた第１のデータ構造にクエリし、前記第１のユーザがアクセスした第２のメディアを識別するステップと、
前記第２のユーザと関連付けられた第２のデータ構造にクエリし、前記第２のユーザがアクセスした第３のメディアを識別するステップと、
前記第２のメディアおよび前記第３のメディアのデータを比較し、それらが同一メディアであるかどうかを判定するステップと、
前記第２のメディアが前記第３のメディアと同一であることの判定に応答して、前記第２のメディアの前記第１のユーザ消費進捗度が前記第３のメディアの前記第２のユーザ消費進捗度に追い付いていないかどうかを判定するステップと、
表示のために、前記アラートとともに、前記第１のユーザが前記第２のメディアに関して前記第２のユーザに追い付いていないことのインジケーションを生成するステップと
を含む、項目４１−４６のいずれかに記載の方法。
（項目４８）
前記第１のユーザが前記第２のユーザの消費進捗度に追い付いたことの判定に応答して、前記ユーザからのさらなる入力を伴わずに、前記第１のメディアの再生を一時停止するステップであって、前記アラートは、前記第１のメディアの再生が一時停止されている間、表示のために生成される、ステップ
をさらに含む、項目４１−４７のいずれかに記載の方法。
（項目４９）
前記表示のために、前記表示されるアラートを生成するステップは、
前記第２のユーザと関連付けられた第２のデータ構造にクエリし、前記第２のユーザがアクセスした第２のメディアを識別するステップと、
前記第１のユーザが前記第２のメディアにアクセスしたかどうかを判定するステップと、
前記第１のユーザが前記第２のメディアにアクセスしていないことの判定に応答して、前記第２のメディアに関する前記第２のユーザのメディア消費進捗度を前記第２のデータ構造から読み出すステップと、
閾値基準が前記第２のユーザによる前記第２のメディアに関するメディア消費進捗度によって満たされるかどうかを判定するステップと、
前記閾値基準が前記第２のユーザによる前記第２のメディアに関するメディア消費進捗度によって満たされることの判定に応答して、表示のために、前記アラートとともに、前記第１のユーザが前記第２のメディアにアクセスするための選択可能オプションを生成するステップであって、前記選択可能オプションは、前記第２のメディアの前記第２のユーザによるメディア消費進捗度のインジケータを伴う、ステップと
を含む、項目４１−４８のいずれかに記載の方法。
（項目５０）
前記表示のために、前記表示されるアラートを生成するステップは、
表示のために、前記第１のメディアの消費を継続するためのオプションを生成するステップと、
前記第１のユーザから、前記オプションの第３の選択を受信するステップと、
前記第３の選択の受信に応答して、前記第２のユーザに、前記第１のユーザが前記第２のユーザに追い付き、メディア消費を継続していることを示す、アラートを伝送するステップと
を含む、項目４１−４９のいずれかに記載の方法。